(57)【要約】  本開示の一態様に係る基地局は、所定周期のモニタリング機会において、所定セルのスロットフォーマットを示す下り制御情報を送信する送信部と、前記所定セルを含む複数のセルの少なくとも一つにおける前記下り制御情報の送信を制御する制御部と、を具備することを特徴とする。これにより、ＴＤＤにおける通信を適切に制御できる。
2020016933.tif 000002
【特許請求の範囲】
【請求項１】
所定周期のモニタリング機会において、所定セルのスロットフォーマットを示す下り制御情報を送信する送信部と、
前記所定セルを含む複数のセルの少なくとも一つにおける前記下り制御情報の送信を制御する制御部と、
を具備することを特徴とする基地局。
【請求項２】
前記制御部は、前記複数のセルの一つにおける前記下り制御情報の送信を制御することを特徴とする請求項１に記載の基地局。
【請求項３】
前記制御部は、前記複数のセルにおける、前記所定セルの同一のスロットフォーマットをそれぞれ示す複数の下り制御情報の送信を制御することを特徴とする請求項１に記載の基地局。
【請求項４】
前記制御部は、前記所定セルをアクティブ化する場合、前記所定セルの次のモニタリング機会の前のスロット又はシンボル用のスロットフォーマットの決定に用いられる、前記下り制御情報の送信を制御することを特徴とする請求項１から請求項３のいずれかに記載の基地局。
【請求項５】
前記制御部は、半二重通信を行うユーザ端末と、所定の周波数帯域内の前記所定セルを含む一以上のセル間において、同一のスロット又はシンボルにおいて同一の伝送方向の通信を行うように制御することを特徴とする請求項１から請求項４のいずれかに記載の基地局。
【請求項６】
前記制御部は、前記一以上のセル間において同一のスロットに対して同一のスロットフォーマットを示す一以上の下り制御情報の送信と、
同一のスロットに対して同一のスロットフォーマットを示し、かつ、セル固有又はユーザ端末固有の上位レイヤシグナリングされる時分割複信（ＴＤＤ）の上りと下りの設定に関する情報の送信と、
の少なくとも一つを制御することを特徴とする請求項５に記載の基地局。
【発明の詳細な説明】
【技術分野】
【０００１】
本開示は、次世代移動通信システムにおける基地局に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、上り（ＵＬ：Uplink）通信とＤＬ（ＤＬ：Downlink）通信とが時間的に切り替えられる時間分割複信（ＴＤＤ：Time  Division  Duplex）がサポートされる。【０００５】
具体的には、既存のＬＴＥシステムでは、無線フレーム内の各サブフレームの種別（ＵＬサブフレーム、ＤＬサブフレーム、又は、ＤＬシンボルとガード用のシンボルとＵＬシンボルとを含む特別（special）サブフレーム）を定めたＵＬ／ＤＬ構成（UL/DL  configuration）に基づいて、伝送方向の切り替えが原則として１ｍｓのサブフレーム単位で準静的に制御される。上記ＵＬ／ＤＬ構成としては、７種類が規定されている。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（以下、単にＮＲとも表記する）のＴＤＤでは、既存のＬＴＥシステムよりも柔軟に伝送方向を切り替えるために、所定の時間単位（例えば、サブキャリア間隔（ＳＣＳ）に基づく時間単位であるスロット、又は、シンボル）での伝送方向の切り替えを準静的又は動的に制御することが検討されている。【０００８】
具体的には、ＮＲでは、ユーザ端末は、下り制御情報（ＤＣＩ：Downlink  Control  Information）に基づいて、当該スロット内の各シンボルの種別（例えば、ＤＬシンボル、ＵＬシンボル、ＤＬ又はＵＬのいずれでもよいシンボル（フレキシブルシンボル））を決定することが検討されている。当該スロット内の各シンボルの種別は、スロットフォーマット、スロットのフォーマット等とも呼ばれる。【０００９】
しかしながら、ＮＲでは、ユーザ端末が、所定セル（例えば、アクティブ化されるセル、又は、複数のセルで検出されるＤＣＩによってスロットフォーマットが指定されるセル）におけるスロットフォーマットを適切に決定できない結果、ＴＤＤにおける通信を適切に制御できない恐れがある。【００１０】
そこで、本開示は、ＴＤＤにおける通信を適切に制御可能な基地局を提供することを目的の１つとする。
【課題を解決するための手段】
【００１１】
本開示の一態様に係る基地局は、所定周期のモニタリング機会において、所定セルのスロットフォーマットを示す下り制御情報を送信する送信部と、前記所定セルを含む複数のセルの少なくとも一つにおける前記下り制御情報の送信を制御する制御部と、を具備することを特徴とする。
【発明の効果】
【００１２】
本開示の一態様によれば、ＴＤＤにおける通信を適切に制御できる。
【図面の簡単な説明】
【００１３】
【図１】図１は、スロットフォーマットの一例を示す図である。
【図２】図２は、ＤＣＩフォーマット２＿０に基づくスロットフォーマットの決定の一例を示す図である。
【図３】図３は、ＣＣのアクティブ化が制御される場合のＤＣＩフォーマット２＿０に基づくスロットフォーマットの決定の一例を示す図である。
【図４】図４は、クロスキャリアモニタリングの一例を示す図である。
【図５】図５は、第１の態様に係るスロットフォーマットの第１の決定動作の一例を示す図である。
【図６】図６は、第１の態様に係るスロットフォーマットの第２の決定動作の一例を示す図である。
【図７】図７は、第１の態様に係る第１の半二重通信の一例を示す図である。
【図８】図８は、第１の態様に係る第２の半二重通信の一例を示す図である。
【図９】図９は、第１の態様に係る第２の半二重通信の他の例を示す図である。
【図１０】図１０は、第２の態様に係るスロットフォーマットの第２の決定動作の一例を示す図である。
【図１１】図１１は、第２の態様に係るスロットフォーマットの第３の決定動作の一例を示す図である。
【図１２】図１２は、本実施の形態に係る無線通信システムの概略構成の一例を示す図である。
【図１３】図１３は、本実施の形態に係る無線基地局の全体構成の一例を示す図である。
【図１４】図１４は、本実施の形態に係る無線基地局の機能構成の一例を示す図である。
【図１５】図１５は、本実施の形態に係るユーザ端末の全体構成の一例を示す図である。
【図１６】図１６は、本実施の形態に係るユーザ端末の機能構成の一例を示す図である。
【図１７】図１７は、本実施の形態に係る無線基地局及びユーザ端末のハードウェア構成の一例を示す図である。
【発明を実施するための形態】
【００１４】
ＮＲでは、スロット及びスロット内のシンボルの少なくとも一つの伝送方向（ＵＬ（Uplink）、ＤＬ（Downlink）及びフレキシブルの少なくとも１つ）を準静的（semi-static）又は動的（dynamic）に制御することが想定される。
【００１５】
所定数の連続するスロット又は当該連続するスロット内の各シンボルの伝送方向（フォーマット、設定等ともいう）は、スロット設定（slot  configuration）、時分割複信（ＴＤＤ：Time  Division  Duplex）のＵＬ−ＤＬ設定（ＴＤＤ−ＵＬ−ＤＬ設定（tdd-UL-DL-Configuration））等とも呼ばれる。
【００１６】
ＴＤＤ−ＵＬ−ＤＬ設定に関する情報（ＴＤＤ−ＵＬ−ＤＬ設定情報）は、上位レイヤシグナリングにより基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）から、ユーザ端末に通知（設定（configure））されてもよい。
【００１７】
ここで、上位レイヤシグナリングは、例えば、以下の少なくとも一つであればよい：
・ＲＲＣ（Radio  Resource  Control）シグナリング、
・ＭＡＣ（Medium  Access  Control）シグナリング（例えば、ＭＡＣ制御要素（ＭＡＣ  ＣＥ（Control  Element））、ＭＡＣ  ＰＤＵ（Protocol  Data  Unit））、
・ブロードキャストチャネル（例えば、ＰＢＣＨ：Physical  Broadcast  Channel）によって伝送される情報（例えば、マスタ情報ブロック（ＭＩＢ：Master  Information  Block））、
・システム情報（例えば、システム情報ブロック（ＳＩＢ：System  Information  Block）、最低限のシステム情報（ＲＭＳＩ：Remaining  Minimum  System  Information）、他のシステム情報（ＯＳＩ：Other  System  Information））。
【００１８】
また、ＴＤＤ−ＵＬ−ＤＬ設定情報は、セル固有（cell-specific）（一以上のユーザ端末を含むグループ共通（UE-group  common））に与えられてもよいし、又は、ユーザ端末固有（UE-specific）に与えられてもよい。
【００１９】
例えば、セル固有のＴＤＤ−ＵＬ−ＤＬ設定情報（tdd-UL-DL-ConfigurationCommon又はtdd-UL-DL-ConfigurationCommon2等ともいう）は、以下の少なくとも一つを示す情報を含んでもよい：
・基準となるサブキャリア間隔（μｒｅｆ）、
・ＤＬとＵＬのパターンの周期（スロット設定期間（slot  configuration  period）Ｐ）、
・ＤＬシンボルのみのスロット（完全（full）ＤＬスロット）の数（ｄｓｌｏｔ）、
・完全ＤＬスロットに続くスロットの連続するＤＬシンボルの数（ｄｓｙｍｂ）、
・ＵＬシンボルのみのスロット（完全（full）ＵＬスロット）の数（ｕｓｌｏｔ）、
・完全ＵＬスロットに続くＵＬシンボルの数（ｄｓｙｍｂ）。
【００２０】
また、ユーザ端末固有のＴＤＤ−ＵＬ−ＤＬ設定情報（tdd-UL-DL-ConfigDedicated等ともいう）は、以下の少なくとも一つを示す情報を含んでもよい：
・セル固有のＴＤＤ−ＵＬ−ＤＬ設定情報によって与えられるＵＬ及びＤＬの少なくとも一つの割り当てを上書きするための一以上のスロット設定のセット、
・各スロット設定によって与えられるスロットインデックス、
・各スロット設定によって与えられるスロット内のシンボルの伝送方向（例えば、スロット内の全てのシンボルがＤＬシンボル、スロット内の全てのシンボルがＵＬシンボル、ＤＬシンボル又はＵＬシンボルが明示指定されないシンボルについてはフレキシブルシンボル）。
【００２１】
セル固有のＴＤＤ−ＵＬ−ＤＬ設定情報（tdd-UL-DL-ConfigurationCommon又はtdd-UL-DL-ConfigurationCommon2）が与えられる場合、ユーザ端末は、当該セル固有のＴＤＤ−ＵＬ−ＤＬ設定情報に基づいて所定数のスロットに渡るスロット毎のスロットフォーマットを決定してもよい。
【００２２】
また、上記セル固有のＴＤＤ−ＵＬ−ＤＬ設定情報に加えて、ユーザ端末固有のＴＤＤ−ＵＬ−ＤＬ設定情報（tdd-UL-DL-ConfigDedicated）が与えられる場合、ユーザ端末は、上記セル固有のＴＤＤ−ＵＬ−ＤＬ設定情報によって指定される所定数のスロット内のフレキシブルシンボルを、当該ユーザ端末固有のＴＤＤ−ＵＬ−ＤＬ設定情報に基づいて上書き（override）（更新（modify）又は変更（change））してもよい。このような、セル固有のＴＤＤ−ＵＬ−ＤＬ設定情報及びユーザ端末固有のＴＤＤ−ＵＬ−ＤＬ設定情報の少なくとも一つに基づいて設定されるスロットのフォーマット（パターン、伝送方向）は、Semi-static  TDDパターン、準静的スロットフォーマット、準静的パターン等と呼ばれてもよい。
【００２３】
また、ＮＲでは、ユーザ端末に対して、所定数のスロットのフォーマットに関する情報（例えば、スロットフォーマット識別子（ＳＦＩ：Slot  Format  Indicator））が所定周期で通知されることが検討されている。
【００２４】
当該ＳＦＩは、下り制御チャネル（例えば、ＰＤＣＣＨ（Physical  Downlink  Control  Channel）、グループ共通（ＧＣ：Group  Common）ＰＤＣＣＨ等とも呼ばれる）により送信される下り制御情報（ＤＣＩ：Downlink  Control  Information）に含まれてもよい。
【００２５】
一以上のＳＦＩを含むＤＣＩは、ＤＣＩフォーマット２＿０、ＳＦＩ用ＤＣＩフォーマット、スロットフォーマット通知用のＤＣＩフォーマット、ＳＦＩ用ＤＣＩ、ＳＦＩ−ＤＣＩ、単に、ＳＦＩと呼ばれてもよい。ＤＣＩフォーマット２＿０は、下り共有チャネル（例えば、ＰＤＳＣＨ：Physical  Downlink  Shared  Channel）又はＰＵＳＣＨ（例えば、ＰＵＳＣＨ：Physical  Uplink  Shared  Channel）のスケジューリングに用いられるＤＣＩフォーマット（例えば、ＤＣＩフォーマット０＿０、０＿１、１＿０又は１＿１）とは異なってもよい。なお、「ＤＣＩフォーマット」は、「ＤＣＩ」と互換的に用いられてもよい。
【００２６】
また、ＤＣＩフォーマット２＿０には、特定の識別子（例えば、ＳＦＩ−ＲＮＴＩ：Slot  Format  Indication  Radio  Network  Temporary  Identifier）によってスクランブルされる巡回冗長検査（ＣＲＣ：Cyclic  Redundancy  Check）ビットが付加されてもよい。このため、ＤＣＩフォーマット２＿０は、「ＳＦＩ−ＲＮＴＩによってＣＲＣスクランブル（スクランブル）されるＤＣＩ」とも言い換えられる。当該ＳＦＩ−ＲＮＴＩは、上位レイヤシグナリングにより、基地局からユーザ端末に通知されてもよい。
【００２７】
また、当該ＤＣＩフォーマット２＿０のサイズ（ペイロード又はペイロードサイズ）は、上位レイヤシグナリングによりユーザ端末に設定（configure）（通知）されてもよい。
【００２８】
また、当該ＤＣＩフォーマット２＿０に含まれる一以上のＳＦＩの組み合わせは、所定のインデックス（ＳＦＩインデックス、ＳＦＩ−インデックス等ともいう）によって識別されてもよい。また、ＤＣＩフォーマット２＿０内の一以上のＳＦＩによってそれぞれ指定されるスロットフォーマットの組み合わせは、スロットフォーマットコンビネーション（slot  format  combination）等と呼ばれてもよい。なお、「スロットフォーマットコンビネーション」は、「一以上のスロットのスロットフォーマット」と互換的に用いられてもよい。
【００２９】
ユーザ端末には、一以上のスロットフォーマットコンビネーションのセットが、セル（サービングセル、コンポーネントキャリア（ＣＣ：Component  Carrier）、キャリア等ともいう）毎に、上位レイヤシグナリング（例えば、上位レイヤパラメータ“slotFormatCombToAddModList”）により設定されてもよい。各スロットフォーマットコンビネーションは、所定の識別子（ＩＤ：Identifier、slotFormatCombinationId、ＳＦＩインデックス等ともいう）によって識別されてもよい。slotFormatCombToAddModList及びＤＣＩの少なくとも一つに基づいて設定されるスロットのフォーマット（パターン、伝送方向）は、Dynamic  TDDパターン、動的スロットフォーマット、動的パターン等と呼ばれてもよい。
【００３０】
図１は、スロットフォーマットの一例を示す図である。図１に示すように、スロットフォーマットは、１スロット内の各シンボルの伝送方向を示してもよい。図１では、“Ｄ”は、ＤＬシンボルを示し、“Ｕ”は、ＵＬシンボルを示し、“Ｆ”は、ＤＬ又はＵＬのいずれを行ってもよいシンボル（フレキシブルシンボル）を示す。例えば、図１では、１スロットが１４シンボル＃０〜＃１３で構成されるものとするが、スロットあたりのシンボル数はこれに限られない。
【００３１】
例えば、図１では、所定のインデックス（フォーマットインデックス、フォーマット、ＳＦＩ等ともいう）によって識別される５６種類のスロットフォーマット＃０〜＃５５が示される。なお、特定のフォーマットインデックス（例えば、２５５）は、特定の用途を示してもよい。当該特定の用途とは、例えば、上記セル固有のＴＤＤ−ＵＬ−ＤＬ設定情報及びユーザ端末固有のＴＤＤ−ＵＬ−ＤＬ設定情報の少なくとも一つに基づいてスロットフォーマットを決定すること、設定（configure）されたフレキシンブルシンボルにおいて特定の動作を行うことであってもよい。
【００３２】
ＤＣＩフォーマット２＿０内の所定フィールド値（例えば、ＳＦＩ−インデックスフィールド値、ＳＦＩインデックスフィールド値）は、所定数のスロットの各々のスロットフォーマット（上記スロットフォーマットコンビネーション、当該スロットフォーマットコンビネーションの識別子又はＳＦＩ−インデックス）を示してもよい。当該所定数のスロットは、ＤＣＩフォーマット２＿０をモニタリングする周期（モニタリング周期（monitoring  periodicity）、ＰＤＣＣＨモニタリング周期、ＳＦＩモニタリング周期等ともいう）以上の数であってもよい。
【００３３】
ユーザ端末は、上記モニタリング周期でＤＣＩフォーマット２＿０を監視（ブラインド復号）してもよい。当該ＰＤＣＣＨモニタリング周期は、上位レイヤシグナリングによりユーザ端末に設定されてもよい。
【００３４】
ユーザ端末が所定スロットにおいてＤＣＩフォーマット２＿０を検出した場合、当該ＤＣＩフォーマット２＿０内の所定フィールド値に基づいて、連続する所定数のスロットのスロットフォーマットを決定してもよい。具体的には、ユーザ端末は、上位レイヤシグナリングにより設定されたスロットフォーマットコンビネーションの中から、ＤＣＩフォーマット２＿０内の所定フィールド値によって示されるスロットフォーマットコンビネーションを決定してもよい。
【００３５】
図２は、ＤＣＩフォーマット２＿０に基づくスロットフォーマットの決定の一例を示す図である。例えば、図２では、ＤＣＩフォーマット２＿０のモニタリング周期が２スロットである一例が示される。また、図２では、一例として、複数のスロットフォーマットコンビネーションを含むセットがユーザ端末に設定されるものとする。当該複数のスロットフォーマットコンビネーションは、異なるインデックス（ここでは、ＳＦＩインデックス＃０及び１）で識別されてもよい。また、当該複数のスロットフォーマットコンビネーションは、それぞれ、一以上のスロット（ここでは、２スロット）のスロットフォーマット（図１参照）の異なる組み合わせを示してもよい。
【００３６】
例えば、図２では、スロット＃０で検出されるＤＣＩフォーマット２＿０の所定フィールド値は、スロットフォーマットコンビネーション＃０（の識別子（ＳＦＩインデックス＃０））を示してもよい。ユーザ端末は、当該所定フィールド値に基づいて、スロット＃０及び＃１がそれぞれスロットフォーマット＃０及び＃２であると決定してもよい。同様に、ユーザ端末は、スロット＃２、＃４、＃６、＃８で検出されるＤＣＩフォーマット２＿０の所定フィールド値に基づいて当該ＤＣＩフォーマット２＿０が検出されるスロットを含む所定数のスロットのスロットフォーマットを決定してもよい。
【００３７】
ところで、ＮＲでは、ユーザ端末に設定される一以上の周波数帯域を用いて通信を行うことが想定される。例えば、ユーザ端末には、一以上のＣＣ（セル、サービングセル、キャリア等ともいう）が設定されてもよい。また、ユーザ端末には、あるＣＣに含まれる一以上の帯域幅部分（ＢＷＰ：BandWidth  Part）が設定されてもよい。ここで、ＢＷＰは、ＮＲにおいて設定されるＣＣ内の、１つ以上の部分的な周波数帯域に該当する。ＢＷＰは、部分周波数帯域、部分帯域などと呼ばれてもよい。
【００３８】
また、ユーザ端末は、上位レイヤシグナリングにより設定されるＣＣ及びＢＷＰの少なくとも一つのアクティブ化（activation）及び非アクティブ化（deactivation）を制御してもよい。なお、アクティブ化とは、当該ＣＣ及びＢＷＰの少なくとも一つの設定（configuration）情報を有効化することであってもよい。また、非アクティブ化とは、当当該ＣＣ及びＢＷＰの少なくとも一つの設定情報の無効化することであってもよい。
【００３９】
このように、ユーザ端末に一以上のＣＣが設定される場合、ＤＣＩフォーマット２＿０のモニタリング（ＳＦＩモニタリング、ＧＣ−ＰＤＣＣＨモニタリング等ともいう）は、当該ＤＣＩフォーマット２＿０によりスロットフォーマットが指定されるＣＣと同一のＣＣで行われてもよいし（同一キャリアモニタリング、同一ＣＣモニタリング、同一セルモニタリング等ともいう）、又は、当該ＣＣとは異なるＣＣで行われてもよい（クロスキャリアモニタリング、クロスＣＣモニタリング、クロスセルモニタリング等ともいう）。
【００４０】
クロスキャリアモニタリングでは、単一のＤＣＩフォーマット２＿０内に、一以上のＣＣに共通のＳＦＩインデックス用のフィールドが設けられてもよい。この場合、当該フィールド値によって示されるスロットフォーマットコンビ―ネーションが一以上のＣＣに適用されてもよい。
【００４１】
或いは、クロスキャリアモニタリングでは、単一のＤＣＩフォーマット２＿０内に、ＣＣ毎にＳＦＩインデックス用のフィールドがＣＣ毎に設けられてもよい。この場合、各フィールド値によって示されるスロットフォーマットコンビネーションが各ＣＣに適用されてもよい。
【００４２】
ユーザ端末は、あるＣＣ内でアクティブ化されたＢＷＰ（アクティブＢＷＰ）に設定される所定期間毎にＤＣＩフォーマット２＿０の監視が要求されてもよい。当該ＤＣＩフォーマット２＿０のモニタリングは、送信構成指示（ＴＣＩ：Transmission  Configuration  Indicator）の状態（ＴＣＩ状態（TCI-state））毎に行われてもよい。
【００４３】
ＴＣＩ状態とは、所定のチャネル（例えば、ＰＤＣＣＨ）の疑似コロケーション（ＱＣＬ：Quasi-Co-Location）に関する情報を示してもよい（含んでもよい）。例えば、ＴＣＩ状態は、ＤＣＩフォーマット２＿０を伝送するＰＤＣＣＨのＤＭＲＳ（又はＤＭＲＳのアンテナポート）とＱＣＬの関係にある下り参照信号（ＤＬ−ＲＳ：Downlink  Reference  Signal）に関する情報（例えば、ＤＬ−ＲＳ用リソース）等を示してもよい。ＴＣＩ状態が異なることは、当該ＰＤＣＣＨが異なるビームを用いて送信されること、又は、当該ＰＤＣＣＨが異なるＴＲＰから送信されることを意味してもよい。
【００４４】
なお、ユーザ端末に一以上のＢＷＰが設定される場合、ＤＣＩフォーマット２＿０のモニタリングは、当該ＤＣＩフォーマット２＿０によりスロットフォーマットコンビネーションが指定されるＢＷＰと同一のＢＷＰで行われてもよいし（同一ＢＷＰモニタリング等ともいう）、又は、当該ＢＷＰとは異なるＢＷＰで行われてもよい（クロスＢＷＰモニタリング等ともいう）。
【００４５】
しかしながら、ＣＣのアクティブ化又は非アクティブ化が制御される場合、ユーザ端末が、一以上のスロットのスロットフォーマットを適切に決定できない恐れがある。
【００４６】
図３は、ＣＣのアクティブ化が制御される場合のＤＣＩフォーマット２＿０に基づくスロットフォーマットの決定の一例を示す図である。なお、図３の前提条件は、図２と同様であり、図２との相違点を中心に説明する。
【００４７】
例えば、図３では、ユーザ端末は、スロット＃３において、ＣＣ＃０（例えば、セカンダリセル（ＳＣｅｌｌ：Secondary  Cell））をアクティブ化する（非アクティブ状態からアクティブ状態に遷移させる）。図３では、スロット＃３には、ＤＣＩフォーマット２＿０のモニタリング機会（monitoring  occasion）がない。なお、モニタリング機会とは、ＰＤＣＣＨ（ＤＣＩ）のモニタリング用の所定時間であり、ＰＤＣＣＨモニタリング機会、モニタリング期間、制御リソースセット（ＣＯＲＥＳＥＴ：Control  Resource  Set）、一以上のサーチスペースを含むセット（サーチスペースセット）等とも呼ばれる。
【００４８】
このため、ユーザ端末は、次のモニタリング機会（ここでは、スロット＃４）でＤＣＩフォーマット２＿０を検出するまでは、スロットフォーマットを決定できない。すなわち、ユーザ端末は、ＣＣ＃０をアクティブ化した後、モニタリング機会前の一以上のスロット（ここでは、スロット＃３）のスロットフォーマットを認識できない。このため、アクティブ化されたＣＣ＃０の通信を適切に行うことができない恐れがある。
【００４９】
また、特定のＣＣのスロットフォーマット（又はスロットフォーマットコンビネーション）を指定するＤＣＩフォーマット２＿０が一以上のＣＣで検出される場合、ユーザ端末は、当該特定のＣＣにおける一以上のスロットのスロットフォーマットを適切に決定できない恐れもある。
【００５０】
図４は、クロスキャリアモニタリングの一例を示す図である。図４では、ユーザ端末は、ＣＣ＃０及び＃１の双方で、ＣＣ＃２のスロットフォーマットコンビネーションを指定するＤＣＩフォーマット２＿０をモニタリングする一例が示される。
【００５１】
例えば、図４に示すように、ＣＣ＃０及び＃１においてＣＣ＃２のスロットフォーマットコンビネーションを指定する複数のＤＣＩフォーマット２＿０が検出される場合、ユーザ端末は、どのように、ＣＣ＃２における一以上のスロットのスロットフォーマットを決定するかが問題となる。このような問題は、クロスキャリアモニタリングの場合に限られず、複数のＣＣによって一つのＣＣの同一のスロットのスロットフォーマットを指定する複数のＤＣＩフォーマット２＿０が検出される場合にも生じ得る。
【００５２】
そこで、本発明者らは、ＣＣのアクティブ化又は非アクティブ化が制御される場合に適切にスロットフォーマットを適切に決定可能とする方法（第１の態様）、及び、複数のＣＣにおいて一つのＣＣの同一のスロットのスロットフォーマットを指定するＤＣＩフォーマット２＿０が検出される場合に当該スロットフォーマットを適切に決定可能とする方法（第２の態様）を検討した。
【００５３】
以下、本実施の形態について、図面を参照して詳細に説明する。本実施の形態では、ＤＣＩの一例として、上述の一以上のＳＦＩを含むＤＣＩフォーマット２＿０を例示するが、これに限られず、スロットフォーマットを示すどのようなＤＣＩであってもよい。
【００５４】
（第１の態様）
第１の態様では、所定セルがアクティブ化される場合、当該所定セルのＤＣＩの次のモニタリング機会前のスロット又はシンボル用のスロットフォーマットの決定動作について説明する。
【００５５】
なお、以下では、セル（ＣＣ、キャリア）のアクティブ化又はディアクティブ化が制御される場合について説明するが、ＢＷＰのアクティブ化又はディアクティブ化が制御される場合にも適宜適用可能である。
【００５６】
＜スロットフォーマットの決定＞
≪第１の決定動作≫
第１の決定動作では、ユーザ端末は、特定のセルをアクティブ化する場合、当該特定のセルの次のモニタリング機会前のスロットのスロットフォーマットを、他のセルで検出されるＤＣＩフォーマット２＿０に基づいて決定してもよい。当該他のセルは、アクティブ化される前記特定のセルと同じ同一のオペレーティングバンド（operating  band）（ＮＲオペレーティングバンド又はバンド等ともいう）、同一の周波数レンジ（ＦＲ：Frequency  Range）、同一のＰＵＣＣＨグループ又は同一のセルグループ（ＣＧ：Cell  Group）、同一のタイミングアドバンスグループ（ＴＡＧ：Timing  Advance  Group）のいずれかのセルであるなど、特定の条件を満たすセルであってもよい。
【００５７】
図５は、第１の態様に係るスロットフォーマットの第１の決定動作の一例を示す図である。なお、図５では、図３との相違点を中心に説明する。例えば、図５では、ＣＣ＃０は、プライマリセル（ＰＣｅｌｌ：Primary  Cell）であるものとするが、これに限られない。ＣＣ＃０は、プライマリセカンダリセル（ＰＳＣｅｌｌ：Primary  Secondary  Cell）、ＰＵＣＣＨ（Physical  Uplink  Control  Channel）セル、ＳＣｅｌｌのいずれかであってもよい。また、ＣＣ＃１は、ＳＣｅｌｌであるものとするが、これに限れられない。
【００５８】
図５に示すように、ＣＣ＃１がスロット＃３でアクティブ化される場合、ユーザ端末は、ＣＣ＃１の次のモニタリング機会（ここでは、スロット＃４）前のスロット＃３のスロットフォーマットを、他のＣＣ＃０で検出されるＤＣＩフォーマット２＿０の所定フィールド値に基づいて決定してもよい。
【００５９】
具体的には、ユーザ端末は、ＣＣ＃１のアクティブ化の前に他のＣＣで直近に検出されるＤＣＩフォーマット２＿０の所定フィールド値に基づいて、上記スロット＃３のスロットフォーマットを決定してもよい。
【００６０】
このように、図５では、ＣＣ＃０で検出されるＤＣＩフォーマット２＿０（又は当該ＤＣＩフォーマット２＿０の所定フィールド値）は、ＣＣ＃１のスロットフォーマット（スロットフォーマットコンビネーション、ＳＦＩ又はＳＦＩインデックス）を示す。すなわち、ユーザ端末は、ＣＣ＃１の次のモニタリング機会前のスロット＃３のスロットフォーマットを示すＤＣＩフォーマット２＿０をクロスキャリアモニタリングしてもよい。
【００６１】
なお、当該ＤＣＩフォーマット２＿０は、スロットフォーマットを示すキャリアを示すフィールド（例えば、キャリア識別フィールド）を含んでもよい。
【００６２】
第１の決定動作では、ユーザ端末は、アクティブ化されたＣＣの次のモニタリング機会前のスロットのスロットフォーマットを、クロスキャリアモニタリングにより、適切に決定できる。
【００６３】
≪第２の決定動作≫
第２の決定動作では、ユーザ端末は、特定のセルをアクティブ化する場合、当該特定のセルの次のモニタリング機会前のスロットのスロットフォーマット又は各シンボルの伝送方向（Tx  direction）を、ＤＣＩフォーマット２＿０を検出できない場合と同様に決定してもよい。
【００６４】
具体的には、ユーザ端末は、ＤＣＩフォーマット２＿０を検出しない場合、上記セル固有のＴＤＤ−ＵＬ−ＤＬ設定情報及びユーザ端末固有のＴＤＤ−ＵＬ−ＤＬ設定情報の少なくとも一つによってＤＬ又はＵＬとして設定されるシンボルについては、当該設定に従って通信を行ってもよい。
【００６５】
一方、ユーザ端末は、ＤＣＩフォーマット２＿０を検出しない場合、上記セル固有のＴＤＤ−ＵＬ−ＤＬ設定情報及びユーザ端末固有のＴＤＤ−ＵＬ−ＤＬ設定情報の少なくとも一つによってフレキシブルとして設定されるシンボルについて、以下の少なくとも一つの動作を行ってもよい：
・設定されたフレキシブルシンボルにおけるＰＤＣＣＨ（ＤＣＩ）のモニタリング（ＰＤＣＣＨの受信）、
・設定されたフレキシブルシンボルの中の特定のシンボルにおける、上位レイヤシグナリングにより設定されるＵＬ信号（例えば、ＰＵＳＣＨ、ＰＵＣＣＨ、サウンディング参照信号（ＳＲＳ：Sounding  Reference  Signal）、ランダムアクセスチャネル（ＰＲＡＣＨ：Physical  Random  Access  Channel））の送信の停止（キャンセル）、当該特定のシンボルは、ＤＣＩフォーマット２＿０の検出が設定されるＣＯＲＥＳＥＴの最後のシンボル後のＰＵＳＣＨのタイミング能力に対応する準備時間と等しいシンボル数のシンボルであってもよい。
・設定されたフレキシブルシンボルにおいて、上位レイヤシグナリングにより設定されるＤＬ信号（例えば、ＰＤＳＣＨ、チャネル状態情報参照信号（ＣＳＩ−ＲＳ：Channel  State  Information  Reference  Signal））が送信されないと想定（当該ＤＬ信号の受信の停止（キャンセル））。
【００６６】
図６は、第１の態様に係るスロットフォーマットの第２の決定動作の一例を示す図である。なお、図６では、図３との相違点を中心に説明する。なお、図６では、同一キャリアモニタリングが行われる場合が示されるが、クロスキャリアモニタリングが適用されてもよい。
【００６７】
図６に示すように、ＣＣ＃１がスロット＃３でアクティブ化される場合、ユーザ端末は、ＣＣ＃１の次のモニタリング機会（ここでは、スロット＃４）前のスロット＃３のスロットフォーマットを、上記セル固有のＴＤＤ−ＵＬ−ＤＬ設定情報及びユーザ端末固有のＴＤＤ−ＵＬ−ＤＬ設定情報の少なくとも一つに基づいて決定してもよい。
【００６８】
また、図６において、ユーザ端末は、上記セル固有のＴＤＤ−ＵＬ−ＤＬ設定情報及びユーザ端末固有のＴＤＤ−ＵＬ−ＤＬ設定情報の少なくとも一つに基づいて設定されるフレキシブルシンボルにおいて、特定の動作（例えば、ＰＤＣＣＨの受信、上位レイヤシグナリングにより設定されるＤＬ信号の受信の停止（キャンセル）、上位レイヤレイヤシグナリングにより設定されるＵＬ信号の送信の停止（キャンセル）等）を行ってもよい。
【００６９】
第２の決定動作では、ユーザ端末は、アクティブ化されたＣＣの次のモニタリング機会前のスロット又はシンボルの伝送方向を、ＤＣＩフォーマット２＿０の検出に失敗する場合と同様に決定する。このため、アクティブ化されたＣＣの次のモニタリング機会前のスロット又はシンボルの伝送方向を適切に決定できる。
【００７０】
≪第３の決定動作≫
第３の決定動作では、ユーザ端末は、特定のセルをアクティブ化する場合、当該特定のセルの次のモニタリング機会前のスロットのスロットフォーマット又は各シンボルの伝送方向を、特定のＳＦＩ（例えば、図１の２５５）を検出する場合と同様に動作してもよい。
【００７１】
ＤＣＩフォーマット２＿０内のＳＦＩが特定の値（例えば、図１の「２５５」）を示す場合、ユーザ端末は、上記セル固有のＴＤＤ−ＵＬ−ＤＬ設定情報及びユーザ端末固有のＴＤＤ−ＵＬ−ＤＬ設定情報の少なくとも一つによってＤＬ又はＵＬとして設定されるシンボルについては、当該設定に従って通信を行ってもよい。
【００７２】
また、ユーザ端末は、ＤＣＩフォーマット２＿０内のＳＦＩが特定の値（例えば、図１の「２５５」）を示す場合、上記セル固有のＴＤＤ−ＵＬ−ＤＬ設定情報及びユーザ端末固有のＴＤＤ−ＵＬ−ＤＬ設定情報の少なくとも一つによってフレキシブルとして設定されるシンボルについて、以下の少なくとも一つの動作を行ってもよい：
・設定されたフレキシブルシンボルにおけるＰＤＣＣＨ（ＤＣＩ）のモニタリング（ＰＤＣＣＨの受信）、
・設定されたフレキシブルシンボルの中の特定のシンボルにおける、上位レイヤシグナリングにより設定されるＵＬ信号（例えば、ＰＵＳＣＨ、ＰＵＣＣＨ、ＳＲＳ、ＰＲＡＣＨ）の送信、
・設定されたフレキシブルシンボルにおいて、上位レイヤシグナリングにより設定されるＤＬ信号（例えば、ＰＤＳＣＨ、ＣＳＩ−ＲＳ）の受信。
【００７３】
第３の動作では、記セル固有のＴＤＤ−ＵＬ−ＤＬ設定情報及びユーザ端末固有のＴＤＤ−ＵＬ−ＤＬ設定情報の少なくとも一つに基づいて設定されるフレキシブルシンボルにおいて、上位レイヤシグナリングにより設定されるＵＬ信号の送信及びＤＬ信号の受信を行う点で、第２の動作と異なる。このため、図６は、スロット＃３において上位レイヤパラメータによって設定されるフレキシブルシンボルについて行う動作を変更することにより第３の決定動作にも適用できる。
【００７４】
第３の決定動作では、ユーザ端末は、アクティブ化されたＣＣの次のモニタリング機会前のスロット又はシンボルの伝送方向を、ＤＣＩフォーマット２＿０内のＳＦＩが特定の値（例えば、図１の「２５５」）を示す場合と同様に決定する。このため、アクティブ化されたＣＣの次のモニタリング機会前のスロット又はシンボルの伝送方向を適切に決定できる。
【００７５】
＜半二重通信＞
半二重（Half  Duplex）通信では、ユーザ端末は、一以上のセル内でＵＬ信号の送信とＤＬ信号の受信とを同時には行わない。半二重の制約（constraints）を有するユーザ端末は、特定のセルをアクティブ化する場合、当該特定のセルの次のモニタリング機会前のスロット又はシンボルにおいて、ＵＬ信号の送信とＤＬ信号の受信を同時に行うことを予期（expect）しなくともよい。
【００７６】
≪第１の半二重通信≫
第１の半二重通信では、ユーザ端末は、アクティブ化されたセルの次のモニタリング機会の前のスロットのフォーマットを示すＤＣＩフォーマット２＿０をクロスキャリアモニタリングにより受信する場合について説明する。
【００７７】
この場合、ユーザ端末は、アクティブ化されるセルと他のセルを含む所定の周波数帯域内では、同一のスロット又はシンボルで矛盾（conflict）する伝送方向を示すことを予期しなくともよい。当該所定の周波数帯域は、例えば、同一のオペレーティングバンド（operating  band）（ＮＲオペレーティングバンド又はバンド等ともいう）、同一の周波数レンジ（ＦＲ：Frequency  range）、同一のＰＵＣＣＨグループ又は同一のセルグループ（ＣＧ：Cell  Group）等であってもよい。
【００７８】
ここで、一つのオペレーティングバンドは、ＵＬ用のオペレーティングバンド及びＤＬ用のオペレーティングバンドのセットで構成されてもよい。また、ＦＲは、相対的に低い周波数に対応するＦＲ１（例えば、４５０ＭＨｚ〜６０００ＭＨｚ）と、相対的に高い周波数に対応するＦＲ２（例えば、２４２５０ＭＨｚ〜５２６００ＭＨｚ）のいずれかであってもよい。
【００７９】
また、ＰＵＣＣＨグループは、１以上のＣＣ（セル）を含み、当該ＣＣのうちの一つでＰＵＣＣＨが送信されてもよい。セルグループは、一以上のＣＣ（セル）を含み、ＰＣｅｌｌを含むマスタセルグループ（ＭＣＧ：Master  Cell  Group）又はＰＳＣｅｌｌを含むセカンダリセルグループ（ＳＣＧ：Secondary  Cell  Group）のいずれかであってもよい。
【００８０】
図７は、第１の態様に係る第１の半二重通信の一例を示す図である。図７では、図５との相違点を中心に説明する。例えば、図７では、ＣＣ＃１がアクティブ化される場合、ユーザ端末は、ＣＣ＃１の次のモニタリング機会前のスロット＃３のスロットフォーマットを、ＣＣ＃０で検出される（クロスキャリアモニタリングされる）ＤＣＩフォーマット２＿０の所定フィールド値に基づいて決定してもよい。
【００８１】
図７において、ユーザ端末は、半二重の制約を有する。このため、所定の周波数帯域内（例えば、図７では、同一セルグループ）のＣＣ＃０及び＃１間では、同一のスロット（例えば、スロット＃３）又は同一のシンボルの伝送方向が同一となるように、ＣＣ＃１のスロットフォーマットが指定されてもよい。
【００８２】
このように、図７では、半二重の制約を有するユーザ端末に対しては、所定の周波数帯域（例えば、オペレーティングバンド、ＦＲ、ＰＵＣＣＨグループ又はＣＧ）内の複数のＣＣ間において同一のスロットフォーマットが指定される。このため、半二重の制約を有するユーザ端末が、所定の周波数帯域内で統合（aggregate）されるＣＣにおける通信を適切に行うことができる。
【００８３】
なお、ネットワーク（例えば、一以上の基地局）は、当該所定の周波数帯域内の複数のＣＣ（例えば、図７では、ＣＣ＃０及び＃１）間で同一のスロット又は同一のシンボルの伝送方向が同一となるように、クロスキャリアモニタリングされるＤＣＩフォーマット２＿０の生成を制御してもよい。
【００８４】
≪第２の半二重通信≫
第２の半二重通信では、ユーザ端末は、アクティブ化されたセルの次のモニタリング機会の前のスロットのフォーマットを示すＤＣＩフォーマット２＿０をクロスキャリアモニタリングにより受信しない場合について説明する。
【００８５】
アクティブ化されたセルについてのセル固有のＴＤＤ−ＵＬ−ＤＬ設定情報及びユーザ端末固有のＴＤＤ−ＵＬ−ＤＬ設定情報が設定されない場合、ユーザ端末は、他のセルの伝送方向をアクティブ化されたセルの同一スロット又は同一シンボルに適用してもよい。
【００８６】
図８は、第１の態様に係る第２の半二重通信の一例を示す図である。図８では、アクティブ化されたセルの次のモニタリング機会の前のスロット＃３用のクロスキャリアモニタリングが行われない点で図７と異なる。以下では、図７との相違点を中心に説明する。
【００８７】
図８では、ＣＣ＃１のスロット＃３のスロットフォーマットは、ＣＣ＃０についてのセル固有のＴＤＤ−ＵＬ−ＤＬ設定情報、ユーザ端末固有のＴＤＤ−ＵＬ−ＤＬ設定情報及びＤＣＩフォーマット２＿０の少なくとも一つに基づいて決定されるものとする。
【００８８】
図８では、ユーザ端末は、ＣＣ＃１についてのセル固有のＴＤＤ−ＵＬ−ＤＬ設定情報、ユーザ端末固有のＴＤＤ−ＵＬ−ＤＬ設定情報の少なくとも一つが設定されない。このため、アクティブ化されたＣＣ＃１の次のモニタリング機会前のスロット＃３の各シンボルの伝送方向を、他のＣＣ＃０の各シンボルの伝送方向と同一に決定してもよい。
【００８９】
或いは、アクティブ化されたセルについてのセル固有のＴＤＤ−ＵＬ−ＤＬ設定情報及びユーザ端末固有のＴＤＤ−ＵＬ−ＤＬ設定情報が設定（configure）される場合、ユーザ端末は、当該ＴＤＤ−ＵＬ−ＤＬ設定情報によりスロット又はシンボルに設定される伝送方向に従ってもよい。この場合、所定の周波数帯域内の同じスロット又はシンボルで伝送方向が矛盾することを予期しなくともよい。
【００９０】
図９は、第１の態様に係る第２の半二重通信の他の例を示す図である。図９では、アクティブ化されるＣＣ＃０について、セル固有のＴＤＤ−ＵＬ−ＤＬ設定情報、ユーザ端末固有のＴＤＤ−ＵＬ−ＤＬ設定情報が設定される点で、図８と異なる。以下では、図８との相違点を中心に説明する。
【００９１】
図９では、アクティブ化されたＣＣ＃１の次のモニタリング機会前のスロット＃３の各シンボルの伝送方向は、ＣＣ＃１についてのセル固有のＴＤＤ−ＵＬ−ＤＬ設定情報、ユーザ端末固有のＴＤＤ−ＵＬ−ＤＬ設定情報の少なくとも一つに基づいて決定されるものとする。
【００９２】
なお、ユーザ端末は、ＣＣ＃１についてのセル固有のＴＤＤ−ＵＬ−ＤＬ設定情報、ユーザ端末固有のＴＤＤ−ＵＬ−ＤＬ設定情報の少なくとも一つに基づいて設定されるスロット＃３内の「フレキシブルシンボル」において特定の動作を行ってもよい（“unknown”と想定してもよい）。
【００９３】
具体的には、ユーザ端末は、当該フレキシブルシンボルにおいて、以下の少なくとも一つの動作を行ってもよい：
・設定されたフレキシブルシンボルにおけるＰＤＣＣＨ（ＤＣＩ）のモニタリング（ＰＤＣＣＨの受信）の停止（キャンセル）、
・設定されたフレキシブルシンボルの中の特定のシンボルにおける、上位レイヤシグナリングにより設定されるＵＬ信号（例えば、ＰＵＳＣＨ、ＰＵＣＣＨ、ＳＲＳ、ＰＲＡＣＨ）の送信の停止（キャンセル）、
・設定されたフレキシブルシンボルにおいて、上位レイヤシグナリングにより設定されるＤＬ信号（例えば、ＰＤＳＣＨ、ＣＳＩ−ＲＳ）が送信されないと想定（当該ＤＬ信号の受信の停止（キャンセル））。
【００９４】
また、図９では、ユーザ端末は、所定の周波数帯域内のＣＣ＃０及び＃１間で同一のスロット又はシンボルで伝送方向が異なることを想定しない。すなわち、ネットワークは、ＣＣ＃１についてのセル固有のＴＤＤ−ＵＬ−ＤＬ設定情報、ユーザ端末固有のＴＤＤ−ＵＬ−ＤＬ設定情報の少なくとも一つを、ＣＣ＃０と同一スロット又はシンボルの伝送方向が同一となるように生成してもよい。
【００９５】
以上の第１の態様によれば、所定セルがアクティブ化される場合、当該所定セルのＤＣＩの次のモニタリング機会前のスロット又はシンボル用のスロットフォーマットを適切に決定できる。
【００９６】
（第２の態様）
第２の態様では、所定セル用の複数のＤＣＩフォーマット２＿０を複数のセルにおいて受信する場合に、当該複数のＤＣＩフォーマット２＿０の少なくとも一つに基づいて当該所定セルのスロットフォーマットを決定する動作について説明する。
【００９７】
＜第１の決定動作＞
第１の決定動作では、ユーザ端末は、複数のセルにおいてそれぞれ当該所定セル用の複数のＤＣＩフォーマット２＿０を受信することを予期しなくともよい。すなわち、ユーザ端末は、所定セル用のＤＣＩフォーマット２＿０が単一セルで送信されると想定してもよい。
【００９８】
基地局は、所定セル用のＤＣＩフォーマット２＿０を、当該所定セル（同一セル、同一ＣＣ、同一キャリア）で送信するか、又は、当該所定セル以外の単一のセル（クロスセル、クロスＣＣ、クロスキャリア）で送信してもよい。
【００９９】
第１の決定動作では、基地局の制御により、所定セル用にＤＣＩフォーマット２＿０が単一のセルで送信されるので、ユーザ端末におけるスロットフォーマットの決定を容易に行うことができる。
【０１００】
＜第２の決定動作＞
第２の決定動作では、ユーザ端末は、複数のセルにおいてそれぞれ当該所定セル用の複数のＤＣＩフォーマット２＿０を受信することを予期する点で、第１の決定動作と異なる。
【０１０１】
第２の決定動作では、ユーザ端末は、当該所定のセル用の複数のＤＣＩフォーマット２＿０が矛盾するスロットフォーマット（又はスロットフォーマットコンビネーション）を示すことを予期しなくともよい。すなわち、ユーザ端末は、当該複数のＤＣＩフォーマット２＿０が、同一のスロットフォーマット（又はスロットフォーマットコンビネーション）を示すと想定してもよい。
【０１０２】
この場合、基地局は、複数のセルにおける、前記所定セルの同一のスロットフォーマット（又はスロットフォーマットコンビネーション）をそれぞれ示す複数のＤＣＩフォーマット２＿０の送信を制御する。
【０１０３】
図１０は、第２の態様に係るスロットフォーマットの第２の決定動作の一例を示す図である。図１０では、ユーザ端末は、複数のＣＣ（セル）のキャリアアグリゲーション（ＣＡ：Carrier  Aggregation）が行われる状態が示される。
【０１０４】
例えば、図１０では、ＣＣ＃１のスロットフォーマット（又はスロットフォーマットコンビネーション）を示す複数のＤＣＩフォーマット２＿０が、ＣＣ＃０及びＣＣ＃２で検出（クロスキャリアモニタリング）されるものとするが、これに限られない。当該複数のＤＣＩの一つは、ＣＣ＃１で検出（同一キャリアモニタリング）されてもよい。
【０１０５】
また、図１０では、ＣＣ＃０及びＣＣ＃２のモニタリング周期がそれぞれ異なり、ＤＣＩフォーマット２＿０によってスロットフォーマットが指定されるスロット数が異なるものとするが、これに限られない。複数のＤＣＩフォーマット２＿０でそれぞれスロットフォーマットが指定されるスロット数は同一であってもよい。
【０１０６】
例えば、図１０に示すように、ＣＣ＃０の一つのＤＣＩフォーマット２＿０、ＣＣ＃２の２つのＤＣＩフォーマット２＿０によって指定されるＣＣ＃１のスロット＃０〜＃３のスロットフォーマット（伝送方向）は、同一である。
【０１０７】
基地局は、ＣＣ＃０及びＣＣ＃２でモニタリング周期（ＤＣＩフォーマット２＿０によってスロットフォーマットが指定されるスロット数）が異なる場合であっても、同一スロットで同一のスロットフォーマットを示すように、ＣＣ＃０及び＃２で送信されるＤＣＩフォーマット２＿０の指定するＳＦＩインデックス（スロットフォーマットコンビネーション）を制御してもよい。
【０１０８】
第２の決定動作では、所定セル用にＤＣＩフォーマット２＿０が複数のセルで送信される場合、同一スロットのスロットフォーマットが同一となるように、基地局により複数のセルのＤＣＩフォーマット２＿０が指定するＳＦＩインデックスが制御される。このため、ユーザ端末が所定セルのスロットフォーマットを適切かつ容易に決定できる。
【０１０９】
＜第３の決定動作＞
第３の決定動作では、第２の決定動作と同様に、ユーザ端末は、複数のセルにおいてそれぞれ当該所定セル用の複数のＤＣＩフォーマット２＿０を受信することを予期する。
【０１１０】
第３の決定動作では、ユーザ端末は、異なるスロットで送信される当該所定のセル用の複数のＤＣＩフォーマット２＿０が矛盾するスロットフォーマット（又はスロットフォーマットコンビネーション）を示し得ると想定する点で、第２の決定動作と異なる。
【０１１１】
ユーザ端末は、当該所定のセル用の複数のＤＣＩフォーマット２＿０が異なるセルから異なるスロットで送信される場合、当該複数のＤＣＩフォーマット２＿０のうちの直近のＤＣＩフォーマット２＿０に基づいて、当該所定のセルのスロットフォーマットを決定してもよい。
【０１１２】
一方、ユーザ端末は、同一のスロットで送信される当該複数のＤＣＩフォーマット２＿０については、第２の決定動作と同様に、同一のスロットフォーマット（又はスロットフォーマットコンビネーション）を示すと想定してもよい。基地局は、同一のスロットで異なるセルで送信される複数のＤＣＩフォーマット２＿０は、当該所定セルの同一のスロットフォーマット（又はスロットフォーマットコンビネーション）をそれぞれ示すように、当該複数のＤＣＩフォーマット２＿０の生成を制御してもよい。
【０１１３】
図１１は、第２の態様に係るスロットフォーマットの第３の決定動作の一例を示す図である。図１１では、図１０との相違点を中心に説明する。
【０１１４】
例えば、図１１のスロット＃０では、ＣＣ＃０及びＣＣ＃２の双方において、ＣＣ＃１のスロットフォーマットを示すＤＣＩフォーマット２＿０が送信される。この場合、当該ＤＣＩフォーマット２＿０によって指定されるＣＣ＃１のスロット＃０〜＃１のスロットフォーマット（伝送方向）は、同一である。
【０１１５】
一方、図１１のスロット＃２では、ＣＣ＃２において、ＣＣ＃１のスロットフォーマットを示すＤＣＩフォーマット２＿０が送信される。当該ＤＣＩフォーマット２＿０によって指定されるスロット＃３〜＃４のスロットフォーマット（伝送方向）は、スロット＃０のＣＣ＃０で指定されるスロット＃３〜＃４のスロットフォーマット（伝送方向）と矛盾する。
【０１１６】
この場合、ユーザ端末は、直近のスロット＃２でＣＣ＃２で受信されたＤＣＩフォーマット２＿０に基づいてスロット＃３〜＃４のスロットフォーマット（伝送方向）を決定してもよい。あるいは、ユーザ端末は、その他所定のルールに従って、スロットフォーマットの決定に用いるＤＣＩフォーマット２＿０を選択してもよい。当該所定のルールは、例えば同じセルグループやＰＵＣＣＨグループ、周波数バンドに含まれるＣＣの中でＣＣインデックスが最も低いＣＣで受信されたＤＣＩフォーマット２＿０であってもよいし、ＣＣ＃２と同じサブキャリア間隔のＢＷＰがアクティブなＣＣで受信されたＤＣＩフォーマット２＿０であってもよいし、ＣＣ＃２と同じＤＣＩフォーマット２＿０のモニタリング周期・タイミングが設定されたＣＣで受信されたＤＣＩフォーマット２＿０であってもよい。
【０１１７】
以上の第２の態様によれば、当該所定セルのスロットフォーマットが、当該所定セルを含む複数のセルの少なくとも一つで送信されるＤＣＩフォーマット２＿０によって指定される場合に、当該所定セルのスロットフォーマットを適切に決定できる。
【０１１８】
（その他の態様）
第１及び第２の態様は単独で用いられてもよいし、組み合わせて用いられてもよい。例えば、第１の態様の第１の決定動作（例えば、図５）においてアクティブ化されたセルの次のモニタリング機会の前のスロット又はシンボルの伝送方向が、第２の態様の第１〜第３の決定動作に従って決定されてもよい。
【０１１９】
また、第１の態様の第１の半二重通信（例えば、図７）においてアクティブ化されたセルの次のモニタリング機会の前のスロット又はシンボルの伝送方向が、第２の態様の第１〜第３の決定動作に従って決定されてもよい。
【０１２０】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【０１２１】
図１２は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２４】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１２５】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２６】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１２７】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１２８】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１２９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１３０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０（基地局）と総称する。
【０１３１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３６】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３７】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１３８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１３９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１４０】
＜無線基地局＞
図１３は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４１】
下りリンクによって無線基地局１０からユーザ端末２０に送信されるユーザデータは、上位局装置３０から伝送路インターフェース１０６を介してベースバンド信号処理部１０４に入力される。
【０１４２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４３】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４７】
図１４は、本実施の形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１４８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１４９】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１５０】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５２】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５３】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５５】
送信信号生成部３０２は、例えば、制御部３０１からの指示に基づいて、ＤＣＩを生成する。当該ＤＣＩは、例えば、当該下りデータの割り当て情報を通知するＤＬアサインメント、上りデータの割り当て情報を通知するＵＬグラント、ＳＦＩを含むＤＣＩ等の少なくとも一つである。また、下りデータ信号には、各ユーザ端末２０からのチャネル状態情報（ＣＳＩ：Channel  State  Information）などに基づいて決定された符号化率、変調方式などに従って符号化処理、変調処理が行われる。また、下りデータ信号には、上位レイヤシグナリングにより設定（configure）される情報が含まれてもよい。
【０１５６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１５７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１５８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５９】
測定部３０５は、受信した信号に関する測定を実施する。測定部３０５は、本開示に係る技術分野での共通認識に基づいて説明される測定器、測定回路又は測定装置から構成することができる。
【０１６０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６１】
なお、送受信部１０３は、下り制御情報（ＤＣＩ）を送信してもよい。具体的には、送受信部１０３は、所定周期のモニタリング機会において、所定セルのスロットフォーマットを示す下り制御情報を送信してもよい。また、送受信部１０３は、所定周期のモニタリング機会において、所定セルのスロットフォーマットをそれぞれ示す複数の下り制御情報を複数のセルにおいて送信してもよい。
【０１６２】
また、送受信部１０３は、セル固有又はユーザ端末固有に上位レイヤでシグナリングされる前記所定セルの時分割複信（ＴＤＤ）の上りと下りの設定に関する情報（セル固有のＴＤＤ−ＵＬ−ＤＬ設定情報及びユーザ端末固有のＴＤＤ−ＵＬ−ＤＬ設定情報の少なくとも一つ）を送信してもよい。
【０１６３】
制御部３０１は、一以上のセルのスロットフォーマットを制御してもよい。具体的には、制御部３０１は、所定セルを含む複数のセルの少なくとも一つにおける前記下り制御情報の送信を制御してもよい（第２の態様）。
【０１６４】
例えば、制御部３０１は、複数のセルの一つにおける下り制御情報の送信を制御してもよい（第２の態様、第１の決定動作）。また、制御部３０１は、前記複数のセルにおける、前記所定セルの同一のスロットフォーマットをそれぞれ示す複数の下り制御情報の送信を制御してもよい（第２の態様、第２の決定動作）。
【０１６５】
また、制御部３０１は、前記所定セルをアクティブ化する場合、前記所定セルの次のモニタリング機会の前のスロット又はシンボル用のスロットフォーマットの決定に用いられる、前記下り制御情報の送信を制御してもよい（第１の態様）。
【０１６６】
また、制御部３０１は、半二重通信を行うユーザ端末と、所定の周波数帯域内の前記所定セルを含む一以上のセル間において、同一のスロット又はシンボルにおいて同一の伝送方向の通信を行うように制御してもよい（第１の態様、半二重通信）。
【０１６７】
また、制御部３０１は、前記一以上のセル間において同一のスロットに対して同一のスロットフォーマットを示す一以上の下り制御情報の送信を制御してもよい（第１の態様、半二重通信）。また、制御部３０１は、同一のスロットに対して同一のスロットフォーマットを示し、かつ、セル固有又はユーザ端末固有の上位レイヤシグナリングされる時分割複信（ＴＤＤ）の上りと下りの設定に関する情報の送信を制御してもよい（第１の態様、半二重通信）。
【０１６８】
＜ユーザ端末＞
図１５は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１７０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１７１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１７２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７３】
図１６は、本実施の形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１７４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７５】
制御部４０１は、ユーザ端末２０全体の制御を実施する。制御部４０１は、本開示に係る技術分野での共通認識に基づいて説明されるコントローラ、制御回路又は制御装置から構成することができる。
【０１７６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７８】
また、制御部４０１は、無線基地局１０から通知された各種情報を受信信号処理部４０４から取得した場合、当該情報に基づいて制御に用いるパラメータを更新してもよい。
【０１７９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１８１】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８４】
測定部４０５は、受信した信号に関する測定を実施する。測定部４０５は、本開示に係る技術分野での共通認識に基づいて説明される測定器、測定回路又は測定装置から構成することができる。
【０１８５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１８６】
なお、送受信部２０３は、下り制御情報（ＤＣＩ）を受信してもよい。具体的には、送受信部２０３は、所定周期のモニタリング機会において、所定セルのスロットフォーマットを示す下り制御情報を受信してもよい。また、送受信部２０３は、所定周期のモニタリング機会において、所定セルのスロットフォーマットをそれぞれ示す複数の下り制御情報を複数のセルにおいて受信してもよい。
【０１８７】
また、送受信部２０３は、セル固有又はユーザ端末固有に上位レイヤでシグナリングされる前記所定セルの時分割複信（ＴＤＤ）の上りと下りの設定に関する情報（セル固有のＴＤＤ−ＵＬ−ＤＬ設定情報及びユーザ端末固有のＴＤＤ−ＵＬ−ＤＬ設定情報の少なくとも一つ）を受信してもよい。
【０１８８】
制御部４０１は、一以上のセルのスロット又はシンボルの伝送方向を制御してもよい。制御部４０１は、所定セルがアクティブ化される場合、次のモニタリング機会前のスロット又はシンボル用にスロットフォーマットを決定してもよい（第１の態様）。
【０１８９】
制御部４０１は、次のモニタリング機会の前に前記所定セル以外のセルで受信される前記下り制御情報に基づいて、前記スロットフォーマットを決定してもよい（第１の態様、第１の決定動作）。
【０１９０】
制御部４０１は、セル固有又はユーザ端末固有に上位レイヤでシグナリングされる前記所定セルの時分割複信（ＴＤＤ）の上りと下りの設定に関する情報に基づいて、前記スロットフォーマットを決定してもよい（第１の態様、第２及び第３の決定動作）。
【０１９１】
この場合、制御部４０１は、設定されたフレキシブルシンボルにおいてＰＤＣＣＨの監視を行ってもよい。また、制御部４０１は、設定されたフレキシブルシンボルにおいて、上位レイヤシグナリングにより設定されるＵＬ信号の送信及びＤＬ信号の受信の少なくとも一つをキャンセルしてもよいし（第２の決定動作）、実施してもよい（第３の決定動作）。
【０１９２】
また、制御部４０１は、ユーザ端末２０が半二重通信を行う場合、所定の周波数帯域内の前記所定セルを含む一以上のセル間において下り信号の受信及び上り信号の送信を同一スロット又は同一シンボルで行うことを想定しなくともよい。
【０１９３】
また、制御部４０１は、所定周期のモニタリング機会において、所定セルのスロットフォーマットをそれぞれ示す複数の下り制御情報を複数のセルにおいて受信する場合、前記複数の下り制御情報の少なくとも一つに基づいて、前記所定セルの前記スロットフォーマットを決定してもよい（第２の態様）。
【０１９４】
また、制御部４０１は、前記複数の下り制御情報が同一のスロットフォーマットを示すと想定して、前記所定セルの前記スロットフォーマットを決定してもよい（第２の態様、第２の決定動作）。或いは、制御部４０１は、前記複数の下り制御情報のうち直近に受信された下り制御情報に基づいて、前記所定セルの前記スロットフォーマットを決定してもよい（第２の態様、第３の決定動作）。
【０１９５】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９６】
例えば、本実施の形態における無線基地局、ユーザ端末などは、本開示の無線通信方法の処理を行うコンピュータとして機能してもよい。図１７は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９９】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２００】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２０１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２０２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０２０３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０８】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０９】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２１０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２１１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２１４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２０】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２１】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２２】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２３】
また、情報、信号などは、上位レイヤから下位レイヤ、及び／又は下位レイヤから上位レイヤへ出力され得る。情報、信号などは、複数のネットワークノードを介して入出力されてもよい。
【０２２４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２５】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２３１】
本明細書において使用する「システム」及び「ネットワーク」という用語は、互換的に使用される。
【０２３２】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３４】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３７】
同様に、本明細書におけるユーザ端末は、無線基地局で読み替えてもよい。この場合、上述のユーザ端末２０が有する機能を無線基地局１０が有する構成としてもよい。
【０２３８】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３９】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２４０】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２４１】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４２】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２４３】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４４】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４５】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４６】
本明細書において、「ＡとＢが異なる」という用語は、「ＡとＢが互いに異なる」ことを意味してもよい。「離れる」、「結合される」などの用語も同様に解釈されてもよい。
【０２４７】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４８】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2020016933.tif 000003
【図２】
2020016933.tif 000004
【図３】
2020016933.tif 000005
【図４】
2020016933.tif 000006
【図５】
2020016933.tif 000007
【図６】
2020016933.tif 000008
【図７】
2020016933.tif 000009
【図８】
2020016933.tif 000010
【図９】
2020016933.tif 000011
【図１０】
2020016933.tif 000012
【図１１】
2020016933.tif 000013
【図１２】
2020016933.tif 000014
【図１３】
2020016933.tif 000015
【図１４】
2020016933.tif 000016
【図１５】
2020016933.tif 000017
【図１６】
2020016933.tif 000018
【図１７】
2020016933.tif 000019
【国際調査報告】
2020016933.tif 000020
2020016933.tif 000021
2020016933.tif 000022
2020016933.tif 000023